(57)【要約】【課題】解決しようとする課題は、コレットチャック方式の工具ホルダで小径の切削工具を所定の位置に固定する場合、コレット締め付け動作による切削工具の引き込みが切削工具に歪みを与えてしまい、保持精度に影響を与えてしまう点にある。【解決手段】コレットチャック方式の工具ホルダにおいて、コレットのテーパ部に続いて円筒部を延長形成し、該円筒部内にねじ穴を形成すると共に、切削工具位置決め用部材を螺合装着し、端面側に切削工具端受け部を構成工具位置調整用の調整ねじ構造をコレット内部の後部に一体に設けたことを特徴とする。【選択図】 図１
2006043854.tif 000002
【特許請求の範囲】
【請求項１】
ホルダ本体の一端に工作機械の主軸端穴への取り付けシャンクを形成し、反対側端にコレットチャック形タップ保持機構を構成してなるタップホルダであって、ホルダ本体の反対側端の外形にねじ部を形成し、その端面から内方テーパ穴とそれに続きタップシャンク部回り止め穴を形成し、該回り止め穴の内周面長手方向の底まで１つまたは複数の縦溝を形成し、該回り止め穴底側は中心部をシャンク部端へ開口させて貫通したクーラント流体通路を構成してなり、該テーパ穴へ外形が係合し、内径にタップシャンク部が保持されると共に、割り溝が形成されて半径方向に収縮可能なテーパ割りコレットと、ホルダ本体の前記ねじ部に螺合すると共に、該テーパ割りコレットと係合してホルダ本体のテーパ穴へ該コレットを押し込みと引き抜きを容易に装着してなる締付ナットを有しており、クーラント流体が、ホルダ本体の一端面に形成サレタ穴から流入し、四角穴の縦溝を介して該テーパ割りコレットの割り溝を介してタップ先端側へ供給されることを特徴とするタップホルダ。
【発明の詳細な説明】
【技術分野】
【０００１】
本発明は、コレットチャック方式のタップホルダで、特に大型のタップを保持するのに適したリジット形タップホルダに関する。
【背景技術】
【０００２】
従来からこのようなコレットチャック方式のタップホルダは、種々提案されており、例えば特公平２−２９４５０号公報に記載されたようなタップホル
ダ本体へ、特公平３−１４５７３号公報に記載されたようなタップ保持部材（一般にタップコレットとよばれている）を連結した迅速交換機能を有し、且つ
タップホルダ本体側に軸方向の誤差吸収機能（テンション・コンプレッションという）を持たせたものが有効に活用されてきた。そして更に生産性を高
めるために冷却液（クーラント）をこれら装置の内部を通して工具（タップ）の先端側から切削点へ供給するものも実用化されている。他に特許第３３
５９２８８号公報や実用新案登録第２５７４００９号公報のような装置も公知である。
【０００３】
しかしながら、このような従来装置においては、有効な上記機能を内蔵するが故に構造の複雑化を来たし、作動不良など故障しやすいものであり、且つ寿命的にも短いという問題点を有していた。また構造が複雑で内蔵物が多いため、クーラント供給機構を内部へ構成させるにも困難な場合が多かった。
【０００４】
一方、工作機械の制御機構の進歩により、前述した工具ホルダ側で誤差吸収するのではなく、工作機械の制御装置で誤差吸収できる、所謂シンクロ（同期）機構を有する工作機械が増加してきている。従って工具ホルダ側においては、より構造を単純化できるようになってきている。そのようなタップホルダはリジットタイプと呼ばれて多用されるようになってきた。従って従来の誤差吸収機構内蔵型の」タップホルダに対して、よりローコストで故障しにくい安全性の高いものが提供できる。
【０００５】
【特許文献１】特公平２−２９４５０号公報
【特許文献２】特公平３−１４５７３号公報
【特許文献３】特許第３３５９２８８号公報
【特許文献４】実用新案登録第２５７４００９号公報
【発明の開示】
【発明が解決しようとする課題】
【０００６】
解決しようとする課題は、切削工具であるタップが大型化した場合は、切削トルカが上昇するため、タップホルダ自体の剛性を高める必要があるが、前述したような誤差吸収機能を有するタップホルダ従来構造では、全体が大型化すると共に、従って使用できるタップの大きさが特定されてしまうもので、合成も高められないという点である。   
【課題を解決するための手段】
【０００７】
本発明は、ホルダ本体の一端に工作機械の主軸端穴への取り付けシャンクを形成し、反対側端にコレットチャック形タップ保持機構を構成してなるタップホルダであって、ホルダ本体の反対側端の外形にねじ部を形成し、その端面から内方テーパ穴とそれに続きタップシャンク部回り止め穴を形成し、該回り止め穴の内周面長手方向の底まで１つまたは複数の縦溝を形成し、該回り止め穴底側は中心部を一端へ開口させて貫通したクーラント流体通路を構成してなり、該テーパ穴へ外形が係合し、内径にタップシャンク部が保持されると共に、割り溝が形成されて半径方向に収縮可能なテーパ割りコレットと、ホルダ本体のねじ部に螺合すると共に、該テーパ割りコレットと係合してホルダ本体のテーパ穴へ該コレットを押し込みと引き抜きを容易に装着してなる締付ナットを有しており、クーラント流体が、ホルダ本体の一端面に形成サレタ穴から流入し、四角穴の縦溝を介して該テーパ割りコレットの割り溝を介してタップ先端側へ供給されることを特徴とする。
【発明の効果】
【０００８】
本発明は、以上のように構成したので、タップホルダ本体にタップのシャンク固定用の穴を直接形成し、その周囲へクーラント供給通路を形成したので、大型タップの切削トルクが作用しても充分対応できる。更にタップを保持する手段としてコレットチャック構造を用いて、ホルダ本体内に位置決めしたタップを固定するので、剛性が高く、且つ割りコレットの割り溝をクーラント供給通路として用いる事で、大型タップの確実な装着とクーラント加工が可能となった。
【発明を実施するための最良の形態】
【０００９】
大型タップのクーラント加工を容易にするという目的を、ホルダ本体内へタップシャンク回り止め穴を設ける簡単な構成により達成することが出来た。
【実施例】
【００１０】
本発明を、図示の実施例に基づいて説明する。先ず実施例によるタップホルダは、図１に示すように、長手方向中央部にフランジ部１１と、その一端に工作機械主軸穴（図示せず）へ装着されるシャンク部１２と、他端には該フランジより小径の円筒部１３を形成したホルダ本体１０と、該ホルダ本体１０の円筒部１３端部外周にはねじ１４が形成してあり、かつ端面から内方へテーパ穴１５が形成されている。このテーパ穴１５に続いてストレート穴１６（前記テーパ穴１５の小端径より僅かに大径に形成）が形成され、その底からドリル穴１８が明けられ、その直径と同じ辺の長さを有する四角穴１７が形成してある。そしてこの四角穴１７の内周面２箇所には断面半円状の縦溝２２，２２が前記ドリル穴１８部まで形成されている。この２つの縦溝２２は、実際に形成するにあたっては、ドリル穴１８、四角穴１７を形成する前に、該ストレート穴１６を形成した後、ドリル穴径位置を穴中心にして小径（縦溝２２の直径に相当）ドリルで２箇所に穴あけ加工し、その後にドリル穴１８、四角穴１７の加工をすることで形成される。一方ホルダ本体のシャンク部１２の端部からはねじ穴１９、穴２０が穿設され、更に小径の穴２１が前記ドリル穴１８へ貫通している。
【００１１】
一方、ホルダ本体１０の円筒部１３に形成されたねじ１４には締付ナット３０が螺合装着され、テーパ穴１５にはこの締付ナット３０にリング３１を介して連結装着されたテーパ割りコレット４０が係合される。該テーパ割りコレット４０は、該テーパ穴１５内面に係合する大テーパ部４１とその反対側に小テーパ部４２を形成しており、中央にタップTのシャンク部が貫通する内径穴４３と、外周から内周に長手方向両端から交互に形成したすり割り溝４４ａ、４４ｂが形成されており、このようなテーパ割りコレットは一般的な公知構造であり、締付ナット３０の内側にリング３１が鋼球３２を介して回動自在に装着され、そのリング３１の内周面が前記コレット４０の小テーパ部４２と当接すると共に、軸方向に係合され、ナット３０を回動させることで、コレット４０をホルダ本体１０のテーパ穴１５に対して軸方向に移動可能に構成されている。
【００１２】
このように構成したので、工作機械側からホルダ本体１０のシャンク部１２側から供給されたクーラントは、ねじ穴１９、穴２０、小径穴２１、ドリル穴１８、更に縦溝２２、２２を通って該コレット４０の割り溝４４ａ、４４ｂへ流入し、タップTのシャンク外周部分から先端側へ噴出することになり、加工点へクーラントを供給することができる。。
【００１３】
なお、実施例において、ホルダ本体に形成した四角穴１７は、例えば放電加工によっても可能であり、また四角に限定されず、タップTの回り止め作用が達することができれば良い。
【産業上の利用可能性】
【００１４】
実施例ではホルダ本体のシャンク部を所謂BTシャンク形状について説明したが、そのようなシャンク形状が適用される工作機械のみでなく、専用工作機械に採用されているような特殊取り付けシャンク部例えばHSKシャンクを有していても、同様に採用できるものである。
【図面の簡単な説明】
【００１５】
【図１】本発明によるタップホルダの部分断面した全体図を示す。
【図２】図１のＡ-Ａ断面図を示す。
【符号の説明】
【００１６】
１０   ホルダ本体    
１３   円筒部    
１４   ねじ部    
１５   テーパ穴    
１６   ストレート穴    
１７   四角穴  
１８   ドリル穴
２２   縦溝
３０   締め付けナット  
４０   テーパ割りコレット
４４ａ、４４ｂ   割り溝
Ｔ     タップ  
【図１】
2006043854.tif 000003
【図２】
2006043854.tif 000004